(57)【特許請求の範囲】
【請求項１】
デジタル回線網に接続機器を介して接続され、発信者番号通知機能を利用して、センター側装置からの発信であるときに前記センター側装置との間でデータ通信を行う端末網制御装置であって、前記接続機器から送出される信号に基づいて当該接続機器における設定の変更を検出する検出手段と、変更されていたとき前記接続機器の再設定を行う設定手段と、再設定を行うことができないとき前記センター側装置に通報する通報手段と、当該端末網制御装置に接続されている前記接続機器の機種を把握し、新機種に対応する設定用データを収集する前記センター側装置から前記接続機器の異なる機種の前記設定用データを受信して記憶する更新手段とを備え、前記設定手段は、受信した前記設定用データに基づいて再設定を行うことを特徴とする端末網制御装置。
【請求項２】
デジタル回線網に接続機器を介して接続され、発信者番号通知機能を利用して、センター側装置からの発信であるときに前記センター側装置との間でデータ通信を行う端末網制御装置であって、前記接続機器から送出される信号に基づいて当該接続機器における設定の変更を検出する検出手段と、変更されていたとき前記接続機器の再設定を行う設定手段と、再設定を行うことができないとき前記センター側装置に通報する通報手段と、当該端末網制御装置に接続されている前記接続機器の機種を把握し、新機種に対応する設定用データを収集する前記センター側装置から前記設定用データおよび通報可能な時刻を受信して記憶する更新手段とを備え、前記設定用データに基づいて再設定を行うことができないとき、通報手段は、前記センター側装置から指定された前記時刻に通報して、更新手段は、前記センター側装置から交換された前記接続機器に対応する前記設定用データを受信することを特徴とする端末網制御装置。
【請求項３】
検出手段は、接続機器から送出された信号がプレリンガー信号であるか否かの判定を行い、プレリンガー信号でないとき設定の変更があったと判断することを特徴とする請求項１または２記載の端末網制御装置。
【請求項４】
検出手段は、接続機器から極反の次に送出された信号がリンガー信号であるか否かの判定を行い、リンガー信号であるとき設定の変更があったと判断することを特徴とする請求項１または２記載の端末網制御装置。
【請求項５】
発信者番号を表示する機能を有する端末機器が接続され、検出手段は、接続機器から信号が送出されたときに前記端末機器のオフフックの有無を検出して、オフフックがないとき設定の変更があったと判断することを特徴とする請求項１または２記載の端末網制御装置。
【発明の詳細な説明】
【０００１】
【発明の属する技術分野】
本発明は、ＩＳＤＮ回線といったデジタル回線網を利用してデータ通信を行う通信システムにおいて、ターミナルアダプタ（ＴＡ）等の接続機器を介してデジタル回線網に接続され、発信者番号通知機能を利用してセンター側装置からの発信であるときに通信を行う端末綱制御装置に関する。
【０００２】
【従来の技術】
一般的に、電話回線としてデジタル回線網を利用してセンター側と端末側との間でデータ通信を行う通信システムでは、図１１に示すように、端末網制御装置１は、ＴＡ２のアナログポートに接続され、ＩＳＤＮ回線３でセンター側装置４と結ばれる。端末網制御装置１に、電話機５あるいはファクシミリ装置、メータ６、さらにセンサ等の接点機器７が接続される。なお、図中、８はセンター側交換局、９は端末側交換局である。また、図示していないが、ＴＡ２の電話回線側には回線終端装置（ＤＳＵ）が存在しており、それぞれ個別に設置されたり、あるいはＴＡ２にＤＳＵを内蔵させてもよい。
【０００３】
端末網制御装置１の主制御部は、交換局９から送出される発信者番号信号、リンガー信号を検出する手段と、検出された発信者番号信号により特定のセンター側装置４からの発信であると識別する手段と、識別したとき回線に対して電話機５を切り離し、オフフックして通信する手段と、特定の発信者でない場合、回線と電話機５を接続して電話機５にリンガー信号を送信する手段とを備えている。
【０００４】
そして、この端末網制御装置１は、各家庭より発呼する端末発呼およびセンター側装置より随時検針するセンター起動の二種類の起動方法を有している。センター起動の場合、センター側装置４とセンター側交換局８が接続され、ダイヤルを行うと、ダイヤルされた相手番号は端末側交換局９に伝えられる。端末側交換局９から端末網制御装置１に対して、呼び出し信号を送出する。このとき、図１０に示すように、プレリンガー信号とリンガー信号の間に発信者番号信号が挿入されている。
【０００５】
センター側装置４からの発信により起動して通信を行うには、ＴＡ２が発信者番号を通知するように設定されていなければならない。そのため、ＩＳＤＮ回線３を利用する場合、端末網制御装置１を設置する際に、ＴＡ２を上記のように設定する必要がある。
【０００６】
端末網制御装置１がセンター起動によりセンター側装置４と通信を行うときの通信フローチャートを図１２に示す。ＩＳＤＮ回線３において、センター側装置４が端末網制御装置１を呼び出しするとき、ＴＡ２から極反とリンガー信号が送出される（ステップＳ１）。端末網制御装置１では、受信したリンガー信号がプレリンガー信号かどうか判定する（ステップＳ２）。プレリンガー信号の判定としては、図１０に示すＴ１が約０．５秒であれば、プレリンガー信号であると判定する。あるいは確実に判定する方法として、Ｔ１が約０．５秒であることを確認後、プレリンガー休止期間Ｔ２が約０．５秒であることを確認し、２回目のプレリンガー信号のＴ３を確認することで確定としてもよい。
【０００７】
プレリンガー信号であれば、発信者番号信号を受信して、読み取る（ステップＳ３）。プレリンガー信号でなければ、後方に接続された電話機５ヘリンガー信号を送出する（ステップＳ４）。検出された発信者番号によってセンター側装置４からの発信であるか否かを識別する（ステップＳ５）。
【０００８】
識別した番号がセンター側装置４からのものであるとき、リンガー信号待ちとなる（ステップＳ６）。リンガー信号を検知すると、センター側装置４からの電文を待つ状態となり、通信を行える（ステップＳ８）。端末網制御装置１は、センター側装置４からの電文を受信すると、その指示に従って、例えばメータ６ヘの検針等を行い、その検針データをセンター側装置４に送信する。
【０００９】
また、識別した番号がセンター側装置４からのものでないとき、電話機５と回線を接続して、後方の電話機５にリンガー信号を伝送し、電話機５のリンガーが鳴動する（ステップＳ７）。
【００１０】
端末網制御装置１に発信者番号を表示する機能を持つ電話機５が接続されている場合、図１３に示すように、センター側装置４が端末網制御装置１を呼び出しすると、ＴＡ２から極反とリンガー信号が送出される（ステップＳ３１）。端末網制御装置１の後方に発信者番号を表示する機能を持つ電話機５が接続されているため、端末網制御装置１はプレリンガー信号をそのまま電話機５へ流す。電話機５は、プレリンガー信号を受信すると、発信者番号を受信するためオフフックするので、端末網制御装置1は、そのオフフックを検出する（ステップＳ３２）。検出すれば発信者番号信号を受信し（ステップＳ３３）、検出しなければ、電話機５ヘリンガー信号を送出する（ステップＳ３４）。
【００１１】
検出された発信者番号がセンター側装置４からの発信であるか否かを識別する（ステップＳ３５）。識別した番号がセンター側装置４からのものであるとき、リンガー信号待ちとなる（ステップＳ３６）。リンガー信号を検知すると、センター側装置４からの電文を待つ状態となる（ステップＳ３８）。端末網制御装置１は、センター側装置４からの電文を受信すると、その指示に従って、例えばメータ６ヘの検針等を行って、データ通信を行う。
【００１２】
識別した番号がセンター側装置４からのものでないとき、電話機５と回線を接続して、電話機５にリンガー信号を伝送し、電話機５のリンガーが鳴動する（ステップＳ３７）。
【００１３】
【発明が解決しようとする課題】
ところで、ＴＡの設置後に設定がユーザによって変更されたり、リセットされたりすると、発信者番号通知機能が解除される。すると、端末網制御装置に対して、センター側装置からの発信によるセンター起動が行えなくなる。
【００１４】
この対策として、特開２００１−１９７２１６号公報では、設置後にユーザがＴＡの設定を工場出荷時の設定に戻してしまったとき、端末網制御装置に記憶している設定コマンドをＰＢ信号により出力して、ＴＡの再設定を行う。また、周期的にＰＢ信号を出力することにより、ＴＡの再設定を行うことが記載されている。
【００１５】
上記の手段では、交換等によってＴＡの機種が変更された場合に対して、複数の設定コマンドを記憶しておくことにより対応しようとしている。しかし、ＴＡが新製品に交換されたときのように、設定コマンドが未知の場合には、設定コマンドが記憶されていないので、端末網制御装置では対応することができない。
【００１６】
このように、端末網制御装置の設置後、ユーザがＴＡ等の接続機器を変更したり、ＴＡの設定を工場出荷時の設定に戻してしまう等によって、端末網制御装置が正常に動作しなくなることがある。そのため、システム運営者がユーザ宅まで出向き、ＴＡの設定を再度行うなどの処置が必要となり、この間システム運営に弊害をきたす。
【００１７】
本発明は、上記に鑑み、ＴＡ等の接続機器における交換、リセットといった設定の変更に対して、人手をかけずに対処することができる端末網制御装置の提供を目的とする。
【００１８】
【課題を解決するための手段】
本発明による課題解決手段は、デジタル回線網に接続機器を介して接続され、デジタル回線網を通じてセンター側装置との間でデータ通信を行う端末網制御装置であって、前記接続機器における設定の変更を検出する検出手段と、変更されていたとき再設定を行う設定手段と、再設定を行うことができないとき前記センター側装置に通報する通報手段とを備えたものである。
【００１９】
端末網制御装置は、発信者番号通知機能を利用して、センター側装置からの発信であるときにセンター側装置との間でデータ通信を行うものであり、接続機器における設定の変更とは、接続機器のリセットによる設定変更、あるいは接続機器の交換によって生じる設定変更のことである。ここで、接続機器としては、ＴＡとされ、これ以外にもＤＳＵとＴＡが一体になったもの、ＴＡの機能を備えたルータがあげられる。
【００２０】
そして、接続機器は、発信者番号通知機能が設定されていると、外部から呼び出し信号を着信したとき、所定のシーケンスにしたがって信号を送出するようになっている。しかし、発信者番号を通知しないように接続機器の設定が変更されていると、上記の信号が送出されない。そこで、検出手段は、接続機器から送出される信号に基づいて設定の変更を検出する。
【００２１】
具体的には、検出手段は、接続機器から送出された信号がプレリンガー信号であるか否かの判定を行い、プレリンガー信号でないとき設定の変更があったと判断する。あるいは、接続機器から送出された信号がリンガー信号であるか否かの判定を行い、リンガー信号であるとき設定の変更があったと判断する。
【００２２】
また、発信者番号を表示する機能を有する電話機等の端末機器が接続されている場合、端末網制御装置は、接続機器からの信号を後方に接続された端末機器に送る。このとき、検出手段は、端末機器のオフフックの有無を検出して、設定の変更を検出する。すなわち、オフフックがないとき、設定の変更、あるいは端末機器の電源切断、未接続があると判断する。オフフックがあれば、設定の変更はないと判断する。
【００２３】
他の検出手段として、接続機器から送出される信号による起動の有無を検出する。すなわち、呼び出し信号を着信した接続機器から起動要求の信号が送出されると、端末網制御装置は起動するようになっている。特に、センター側装置は、検針等のために定期的に発信を行う。このことを利用して、一定時間内に起動があるか否かを検出することにより、設定の変更を検出できる。起動が一定時間されていないとき、設定の変更があったと判断する。また、一般の電話によっても端末網制御装置は起動するので、接続機器が信号を送出しないといった異常があれば、起動しなくなる。したがって、接続機器の設定の変更だけでなく、異常が発生したことも検出することが可能となる。
【００２４】
そして、上記の検出手段によって設定の変更が検出されたとき、設定手段は、再設定時に設定用データを接続機器に出力する。なお、接続機器の設定用データは、記憶手段にあらかじめ記憶されている。接続機器を再設定できたとき、接続機器はリセットされていたことになる。再設定できないとき、接続機器が交換されたか、あるいは接続機器、端末機器に異常が発生したことが考えられる。このような場合には、センター側装置に通報して、センター側において、人の派遣等の対処をする。
【００２５】
以上では、接続機器の動作に基づいて設定の変更を検出するものであり、受動的な検出手段である。このような検出手段の代わりに、接続機器の設定用データを記憶しておく記憶手段と、周期的に設定用データを出力して再設定を行う設定手段と、再設定を行うことができないときセンター側装置に通報する通報手段とを備えたものとしてもよい。
【００２６】
周期的に接続機器を再設定することにより、接続機器がリセットされて、変更されていれば、設定を復帰させることができる。接続機器が交換されていれば、再設定できないので、接続機器の交換が判明して、これに対してセンター側では迅速に対処することができる。
【００２７】
また、複数種類の接続機器の設定用データを記憶しておく記憶手段と、１つの設定用データを出力して再設定を行っても、再設定を行うことができないとき、別の設定用データを出力する再出力手段と、全ての設定用データを出力しても再設定を行うことができないときセンター側装置に通報する通報手段とを備えたものとする。
【００２８】
このように、設定を繰り返して行うことにより、接続機器が交換されている場合、交換された接続機器に対応する設定用データが出力されれば、設定できる。そのため、センター側装置に通報する必要がなくなり、端末網制御装置において自動的に対処でき、人手を煩わすことがない。
【００２９】
端末網制御装置において、設定用データを記憶しておいてもよいが、通報したときに、センター側装置から設定用データを受信して記憶する更新手段を備えておく。受信する設定用データは、１つに限らず複数であってもよい。センター側装置では、新機種に対応する最新の設定用データを常に収集しておくことにより、接続機器が新機種に交換されていても、最新の設定用データに基づいて設定を行うことが可能となる。しかも、設定できるまで繰り返しセンター側装置に通報して、設定用データを受信することにより、確実に接続機器を設定することができる。
【００３０】
さらに、センター側装置から設定用データとともに通報可能な時刻を受信して記憶するようにしておくとよい。センター側装置から受信した設定用データに基づいて設定を行っても、設定が不可のとき、指定された時刻に通報することになる。このように、通報の時刻が決まっている場合、センター側において設定用データを調査収集するための時間を確保することができるので、交換された接続機器に対応する設定用データを送信することが可能となる。したがって、設定が不可となる回数が減り、端末網制御装置からの通報回数を少なくすることができる。
【００３１】
【発明の実施の形態】
（第１実施形態）
第１実施形態のセンター側システムとの間でデータ伝送を行う通信システムにおける端末網制御装置１を図１に示す。通信システムの構成は、従来の図１１に示したものと同じである。端末網制御装置１は、メモリ部１０およびＣＰＵ等を有するマイクロコンピュータからなる主制御部１１と、センター側装置４とデータを送受信するモデム部１２と、通信時にデータを送信する局線部１３と、各部に電源を供給する電源部１４と、メータ６から主制御部１１へ信号を送信するメータ用インターフェィス部１５と、センサ、スイッチ等の接点機器７から主制御部１１へ信号を送信する接点機器用インターフェィス部１６とを備えている。そして、主制御部１１には、モデム部１２、電源部１４、メータ用インターフェィス部１５、接点機器用インターフェィス部１６が接続され、電話機５は局線部１３に接続され、ＩＳＤＮ回線３には、ＴＡ２を介して局線部１３およびモデム部１２が接続されている。
【００３２】
ＩＳＤＮ回線３においては、交換局９からの呼び出し信号に応じてＴＡ２から信号が送出される。この信号では、図１０に示すようにプレリンガー信号とリンガー信号との間に発信者番号信号が挿入されるように設定されている。
【００３３】
端末網制御装置１の主制御部１１は、交換局９から送出されるプレリンガー信号、発信者番号信号、リンガー信号を検出する手段と、検出した発信者番号により特定のセンター側装置４からの発信であるとか判別する手段と、センター側装置４からの発信者番号を識別したとき、接続されている後方接続機器である電話機５を回線から切り離したままオフフックして通信する手段と、特定の発信者でないとき、回線と電話機５との間を接続し、電話機５に呼び出し信号を回線から送信する手段とを備えている。したがって、ＩＳＤＮ回線３における発信者番号通知機能を利用して、端末網制御装置１は、センター側装置４を認識して、通信を行うようになっている。すなわち、発信者番号が付加された着信により発信者番号を検出し、この検出された発信者番号がセンター側装置４からの発信であるときにノーリンギングによる通信が行われる。
【００３４】
さらに、主制御部１１は、ＴＡ２の交換あるいはリセットといったＴＡ２における設定の変更を検出する検出手段と、変更されていたとき再設定を行う設定手段と、設定できたかを検出する確認手段と、再設定を行うことができないときセンター側装置４に通報する通報手段と、ＴＡ２の設定用データを記憶しておく記憶手段とを備えている。
【００３５】
検出手段では、着信時にＴＡ２から送出される信号が所定のシーケンスに基づいて送出されるかを検出して、ＴＡ２の設定が変更されていないかを判断する。設定手段では、記憶手段に記憶されている設定用データである設定コマンドを所定の信号、例えばＰＢ信号によってＴＡ２に出力する。確認手段では、ＴＡ２からの応答によって設定が正しく完了したかを判断する。すなわち、ＰＢ信号を出力するたびにＴＡ２からの応答をチェックして、最終的にすべてのＰＢ信号に対する応答があれば、正しく設定されたと判断する。あるいは、設定コマンドに対応するすべてのＰＢ信号を出力した後、ＴＡ２からの応答によって判断する。通報手段では、あらかじめ記憶されているセンター側装置４の電話番号をダイヤルして、ＴＡ２の再設定が不可である旨を知らせる。記憶手段では、ＴＡ２の機種に応じた設定コマンドをＥＥＰＲＯＭ、フラッシュメモリ等の不揮発性メモリに保存するようになっている。設定コマンドはＴＡ２の機種によって異なり、ＴＡ２の設置時に端末網制御装置１に接続された設定器あるいはパソコンを通じて設定用データが入力される。あるいは、設置時にセンター側装置４から設定用データを送信して、これを受信して、記憶してもよい。さらに、複数種類のＴＡ２に対応して、それぞれの設定用データを記憶しておくとよい。
【００３６】
端末網制御装置１とセンター側装置４との間でのデータ伝送は、従来と同様、端末発呼あるいはセンター起動によって開始される。このデータ伝送の手順は従来と同じであるので、説明は省略する。
【００３７】
ところで、ＴＡ２に対して、ユーザが誤ってリセットして、初期設定に戻したり、設定を勝手に変更してしまうことがある。あるいは、ＴＡ２を別の機種に交換することもある。このような場合、ＴＡ２では、発信者番号通知機能の設定が解除されてしまう。すると、発信者番号通知機能を利用して、センター側装置４からの発信により通信を行う通信システムにおいて、端末網制御装置１はセンター側装置４を認識できず、センター起動を行えなくなる。
【００３８】
端末網制御装置１では、上記のような状況になったときでも対処できるように動作する。このときの手順を図２に基づいて説明する。センター側装置４は、センター側交換局８に対してオフフックし、ダイヤルを行う。ダイヤルされた相手番号は、端末側交換局９に伝えられ、ＴＡ２から端末網制御装置１に対し呼び出し信号としてリンガー信号を送出する。
【００３９】
まず、ＴＡ２から極反とリンガー信号が端末網制御装置１に送出される（ステップＳ１１）。受信した信号がプレリンガー信号かどうか判定する（ステップＳ１２）。ここで、ＴＡ２が所定のシーケンスで信号を送出しなければ、プレリンガー信号は送出されないので、端末網制御装置１はプレリンガー信号を検出することができない。したがって、ＴＡ２のリセット、交換等の設定の変更があったと考えられる。そこで、予め記憶されている設定コマンド（ＰＢ信号）をＴＡ２へ出力する（ステップＳ１３）。
【００４０】
プレリンガー信号であれば、ＴＡ２の設定が変更されていないことになり、通常どおり発信者番号信号を読み取り（ステップＳ１４）、発信者に応じてデータ伝送を行うか、電話機５にリンガー信号を伝送する。
【００４１】
ＴＡ２に設定コマンドを出力したとき、ＴＡ２を再設定できたかどうか判定する（ステップＳ１５）。ＴＡ２の再設定ができれば、ＴＡ２がリセットされていたということになり、通常処理に戻る（ステップＳ１７）。ＴＡ２の再設定ができなければ、ＴＡ２が交換されたことが考えられる。そこで、センター側装置４へ発呼して、通報する（ステップＳ１６）。端末網制御装置１は、センター側装置４への通報後、センター側装置４からの指示待ちとなる（ステップＳ１８）。例えば、システム運営者がユーザ宅まで出向き、ＴＡ２の設定を行う。あるいは、電話機５を利用してＴＡ２の設定を行うよう、ユーザに指示を与える。
【００４２】
このように、ＴＡ２を設定できない場合、ＴＡ２が交換されていることが判明する。したがって、センター側装置４に通報することにより、迅速な対応が可能となり、通信不能になってシステム運営に支障をきたすといったことを防止できる。
【００４３】
（第２実施形態）
本実施形態では、検出手段として、着信時にＴＡ２から送出される信号がリンガー信号であるか否かを検出する。すなわち、ＴＡ２の設定が変更されていると、所定のシーケンスで信号が送出されず、リンガー信号が送出されることになる。リンガー信号を検出すれば、ＴＡ２の設定が変更されていると判断し、リンガー信号でなく、プレリンガー信号であれば、設定が変更されていないと判断する。その他の構成は、第１実施形態と同じである。
【００４４】
図３に示すように、センター側装置４が端末網制御装置１を呼び出すとき、ＴＡ２から極反とリンガー信号が送出される（ステップＳ２１）。端末網制御装置１は、受信した信号がリンガー信号かどうか判定する（ステップＳ２２）。リンガー信号の判定は、信号の送出されるタイミングを計測する。図１０に示すように、Ｔ４が約１秒であれば、リンガー信号となる。さらに確実に判定する方法として、Ｔ４が約１秒であることを確認後、リンガー休止期間Ｔ５が約２秒であることを確認し、２回目のリンガー信号のＴ６を確認することで判定してもよい。
【００４５】
ＴＡ２からの信号がリンガー信号であれば、ＴＡ２の設定が変更されていることになり、ＴＡ２のリセットまたはＴＡ２の交換が考えられる。そこで、予め記憶されている設定コマンド（ＰＢ信号）をＴＡ２に出力する（ステップＳ２３）。プレリンガー信号であれば、発信者番号信号を読み取り（ステップＳ２４）、通常の処理を行う。
【００４６】
ＴＡ２を再設定できたかどうか判定する（ステップＳ２５）。ＴＡ２を再設定できなければ、ＴＡ２が交換されたことが考えられるので、センター側装置４に通報する（ステップＳ２６）。端末網制御装置１は、センター側装置４に通報後、センター側装置４からの指示待ちとなる（ステップＳ２８）。ＴＡ２を再設定できれば、ＴＡ２がリセットされていたということであり、通常処理へ戻る（ステップＳ２７）。
【００４７】
（第３実施形態）
端末網制御装置１に発信者番号を表示する機能を持つ電話機５、ファクシミリ装置等の端末機器が接続されている場合、端末網制御装置１は、ＴＡ２から送出された信号を後方の端末機器に送るようになっている。この場合、検出手段として、ＴＡ２からの信号に基づいて設定の変更を直接検出するのではなく、端末機器のオフフックの有無によって設定の変更の判断を行う。その他の構成は、第１実施形態と同じである。
【００４８】
端末網制御装置１に、発信者番号を表示する機能を持つ電話機５が接続されている場合、図４に示すように、センター側装置４が端末網制御装置１を呼び出すと、ＴＡ２から極反とリンガー信号が送出される（ステップＳ４１）。端末網制御装置１はリンガー信号をそのまま後方の電話機５へ流す。電話機５は、リンガー信号を受信すると、発信者番号を受信するためオフフックする。端末網制御装置１は、電話機５からのオフフック信号を検出することにより、オフフックの有無を検出する（ステップＳ４２）。
【００４９】
ここで、端末網制御装置１が電話機５のオフフックを検出しなければ、ＴＡ２からの信号がプレリンガー信号ではないということになり、ＴＡ２のリセットやＴＡ２の交換が考えられる。あるいは、電話機５の電源切断や未接続なども考えられる。そこで、予め記憶されている設定コマンドをＰＢ信号によりＴＡ２に出力する（ステップＳ４３）。電話機５のオフフックを検出すれば、ＴＡ２の設定は変更されていないということになり、発信者番号信号を読み取る（ステップＳ４４）。
【００５０】
端末網制御装置１は、ＴＡ２の再設定をできたかどうか判定する（ステップＳ４５）。ＴＡ２の再設定ができなければ、ＴＡ２の交換や後方の電話機５の異常等が考えられるため、センター側装置４に通報する（ステップＳ４６）。ＴＡ２の再設定をできれば、ＴＡ２がリセットされていたということであり、通常処理へ戻る（ステップＳ４７）。端末網制御装置１は、センター側装置４に通報後、センター側装置４からの指示待ちとなる（ステップＳ４８）。
【００５１】
このように、ＴＡ２を設定できない場合、ＴＡ２が交換されている、あるいは後方の電話機５に異常があることが判明する。したがって、センター側装置４に通報することにより、迅速な対応が可能となり、通信不能になってシステム運営に支障をきたすといったことを防止できる。
【００５２】
（第４実施形態）
本実施形態の端末網制御装置１では、設定手段は、ＴＡ２から送出される信号の有無に関係なく、周期的に設定用データをＴＡ２に出力して、再設定を行うようになっている。その他の構成は、上記の各実施形態と同じである。
【００５３】
図５に示すように、端末網制御装置１から周期的に予め記憶されている設定コマンドをＴＡ２に出力する（ステップＳ５１）。その都度、端末網制御装置１は、ＴＡ２を再設定できたかどうか判定する（ステップＳ５２）。ＴＡ２を再設定できなければ、ＴＡ２が交換されたことが考えられる。そこで、センター側装置４に通報する（ステップＳ５３）。端末網制御装置１は、センター側装置４への通報後、センター側装置４からの指示待ちとなる（ステップＳ５５）。ＴＡ２を再設定できれば、ＴＡ２がリセットされていたということであり、通常処理ヘ戻る（ステップＳ５４）。
【００５４】
このように、周期的にＴＡ２を再設定するようにすれば、ＴＡ２の設定の変更を常に確認することができる。特に、ＴＡ２が単にリセットされていた場合、自動的に設定を修復できるので、センター側装置４からの呼び出しに対して応答に失敗する確率を激減できる。なお、設定用データを出力する周期は、センター側装置４からの定期的な呼び出しの周期よりも短く設定しておくことが好ましく、呼び出し前に必ずＴＡ２を正常な設定にすることが可能となる。
【００５５】
（第５実施形態）
本実施形態の端末網制御装置１では、複数種類のＴＡ２に対応可能なように複数の設定用データを記憶している。そして、第４実施形態と同様、周期的に設定用データを出力するが、再設定を行うことができないとき、別の設定用データを出力する再出力手段を備えている。このとき、通報手段では、全ての設定用データを出力してもＴＡ２を再設定できないとき、センター側装置４に通報する。
【００５６】
図６に示すように、端末網制御装置１は、ＴＡ２に設定コマンドを出力するために、送る周期を測定している（ステップＳ６１）。設定コマンドを送るタイミングがくるたびに、周期的に予め記憶している１つの設定コマンドを出力する（ステップＳ６２）。その都度、端末網制御装置１は、ＴＡ２を再設定できたかどうか判定する（ステップＳ６３）。ＴＡ２を再設定できれば、ＴＡ２がリセットされていたということであるので、通常処理へ戻る（ステップＳ６４）。ＴＡ２を再設定できないとき、ＴＡ２が交換されている可能性があるので、別の設定コマンドを出力する（ステップＳ６５）。この設定コマンドによりＴＡ２を設定できれば、ＴＡ２は別の機種に交換されていたことになり、以後この設定コマンドを使用中のＴＡ２の設定コマンドとして記憶しておく。
【００５７】
記憶されている設定コマンドを全て出力しても、ＴＡ２を設定できなければ、センター側装置４に通報する（ステップＳ６６）。端末網制御装置１は、センター側装置４への通報後、センター側装置４からの指示待ちとなる（ステップＳ６７）。この場合、新機種のＴＡ２に交換されていると考えられる。そこで、システム運営者がユーザ宅まで出向き、ＴＡ２の機種を調査して、これに対応した設定コマンドによりＴＡ２の設定を行う。端末網制御装置４から通報するとき、同時にＴＡ２の機種を通知するようにすればよく、調査する手間が省ける。
【００５８】
このように、異なる設定コマンドで設定を試みることにより、ＴＡ２が交換されていたとしても、設定できる確率が高まる。したがって、センター側装置４に通報する回数が少なくなって、通信不能になる時間を短縮することができ、効率のよいシステム運営を行える。
【００５９】
（第６実施形態）
本実施形態の端末網制御装置１では、検出手段として、ＴＡ２から送出される信号による起動の有無を検出して、起動が一定時間ないとき、ＴＡ２の設定の変更があったと判断している。すなわち、端末網制御装置１は、一般の電話やセンター側装置４からの呼び出しによって起動するが、ＴＡ２から信号が送出されないとき、端末網制御装置１は起動しない。端末網制御装置１に一定時間起動要求がないということは、ＴＡ２からリンガー信号を送出しない設定に変更された等の何らかの異常があったと考えられる。このような場合に、ＴＡ２の再設定を行う。その他の構成は、第１実施形態と同じである。
【００６０】
図７に示すように、端末網制御装置１は、一般の電話やセンター側装置４からの通信によって起動するので、起動してから次の起動までの周期を測定する（ステップＳ７１）。そして、この起動が一定時間ないかどうかを判定する（ステップＳ７２）。一定時間起動していなければ、ＴＡ２から信号を送出しないような設定への変更、あるいはＴＡ２の故障等が考えられる。そこで、予め記憶されている設定コマンドを出力する（ステップＳ７３）。一定時間経過するまでに起動があれば、ＴＡ２に問題はないので、通常処理を行う（ステップＳ７４）。
【００６１】
端末網制御装置１は、ＴＡ２を再設定できたかどうか判定する（ステップＳ７５）。ＴＡ２を再設定できれば、ＴＡ２がリセットされたということであるので、通常処理へ戻る（ステップＳ７７）。ＴＡ２を再設定できなければ、ＴＡ２が交換された等の何らかの異常発生が考えられるため、センター側装置４に通報する（ステップＳ７６）。端末網制御装置１は、センター側装置４への通報後、センター側装置４からの指示待ちとなる（ステップＳ７８）。例えば、新機種のＴＡ２に交換されていたとき、システム運営者がユーザ宅まで出向き、ＴＡ２の機種を調査して、これに対応した設定コマンドによりＴＡ２の設定を行う。また、ＴＡ２の異常であれば、異常の原因を見つけて、ＴＡ２の修理を行うようにする。
【００６２】
このように、ＴＡ２に何らかの異常があった場合、自動的に異常を認識することができる。したがって、異常に気づかずに放置されて、一般の電話も使用できないといったことを防止でき、通信システムの信頼性の向上を図れる。
【００６３】
（第７実施形態）
上記の第１〜第６実施形態では、ＴＡ２を再設定できないとき、端末網制御装置１は、センター側装置４に通報して、指示待ちの状態となる。ここでは、その後のセンター側装置４からの指示として、通報されたときに別の設定用データをセンター側装置４から返信するものとする。端末網制御装置１では、通報時にこの設定用データを受信して記憶する更新手段を備え、この設定用データによりＴＡ２の設定を行うようにする。なお、センター側装置４は、各端末網制御装置１に接続されているＴＡ２の機種を把握しており、異なる機種の設定用データを送信する。
【００６４】
図８に示すように、端末網制御装置１が、ＴＡ２の交換によってＴＡ２を再設定できないとき、センター側装置４に通報する（ステップＳ８１）。センター側装置４は、この通報に対する応答として、端末網制御装置１に記憶されている設定コマンド以外の設定コマンドを送信する。端末網制御装置１は、これを受信して記憶し、ＴＡ２の設定を行う（ステップＳ８２）。そして、ＴＡ２を設定できたかどうか判定する（ステップＳ８３）。ＴＡ２を設定できなければ、繰り返しセンター側装置４に通報する（ステップＳ８４）。ＴＡ２を設定できれば、この設定コマンドを記憶しておき、通常処理へ戻る（ステップＳ８５）。
【００６５】
このように、ＴＡ２を設定できない場合であっても、センター側装置４から繰り返し設定コマンドを受信することにより、確実にＴＡ２を設定することができる。したがって、人手を介さずにメンテナンスすることが可能となり、メンテナンスの効率化を図れる。
【００６６】
（第８実施形態）
本実施形態の端末網制御装置１では、第７実施形態と同様、通報後にセンター側装置４から設定用データを受信するとともに、さらに次回の通報可能な時刻を受信する。すなわち、受信した設定用データによってＴＡ２を設定できないとき、センター側装置４に再度通報するが、この通報は指定された時刻に行われる。
【００６７】
図９に示すように、端末網制御装置１が、ＴＡ２の交換で再設定できないとき、センター側装置４に通報する（ステップＳ９１）。センター側装置４は、端末網制御装置１に記憶されている設定コマンド以外の設定コマンドおよび設定できなかったときのために次回の発呼時刻データを送信する。端末網制御装置１は、これを受信して、ＴＡ２の設定を行う（ステップＳ９２）。そして、ＴＡ２を設定できたかどうか判定する（ステップＳ９３）。
【００６８】
ＴＡ２を設定できれば、通常処理へ戻る（ステップＳ９５）。ＴＡ２を設定できなければ、センター側装置４から指示された時刻にセンター側装置４に通報する（ステップＳ９４）。センター側装置４は、再び別の設定コマンドを送信し、端末網制御装置１は、この設定コマンドでＴＡ２を設定する。
【００６９】
このように、ＴＡ２を設定できず、端末網制御装置１からセンター側装置４に繰り返し通報するとき、センター側装置４が指定した時刻に通報するようにすれば、センター側装置４において、新機種のＴＡ２に対応する設定コマンドを調査するための時間を取ることができる。したがって、端末網制御装置１に接続されたＴＡ２に対応する設定コマンドを送信できるようになり、最小の通信回数でＴＡ２の再設定を行うことができ、通信コストを減らすことができる。
【００７０】
なお、本発明は、上記実施形態に限定されるものではなく、本発明の範囲内で上記実施形態に多くの修正および変更を加え得ることは勿論である。設定コマンドの出力はＰＢ信号を使用しているが、ＰＢ信号以外にトーン信号を使用してもよい。
【００７１】
各実施形態において、端末網制御装置に設定用データ（設定コマンド）が記憶されているが、センター側装置から新機種のＴＡに対応した設定コマンドを随時送信して、端末網制御装置では、これを記憶していくようにする。これによって、端末網制御装置は、常に最新の設定コマンドを保有することになり、ＴＡの再設定が必要なとき、設定コマンドを順に出力していけば、ＴＡを設定することができる。したがって、ＴＡを新機種に交換した場合でも、センター側装置に通報する必要がなくなる。
【００７２】
また、第１〜第３実施形態において、第５実施形態を組み合わせて、複数の設定用データを記憶するようにして、１つの設定用データで再設定できないとき、別の設定用データを出力して、再設定を試みるようにする。
【００７３】
【発明の効果】
以上の説明から明らかな通り、本発明によると、ＴＡ等の接続機器の設定の変更を検出すると、即座に設定用データ（設定コマンド）を出力して、接続機器の再設定を行うことができる。これにより、容易に接続機器のリセットに対応でき、人手を煩わすことなく自動的に復旧できる。また、接続機器が交換されている場合には、再設定できないことから接続機器の交換が判明するので、センター側装置に通報することにより、迅速な対応を図れ、システムの安定化を図ることができる。
【図面の簡単な説明】
【図１】      本発明の端末網制御装置の構成図
【図２】      第１実施形態のＴＡ設定時のフローチャート
【図３】      第２実施形態のＴＡ設定時のフローチャート
【図４】      第３実施形態のＴＡ設定時のフローチャート
【図５】      第４実施形態のＴＡ設定時のフローチャート
【図６】      第５実施形態のＴＡ設定時のフローチャート
【図７】      第６実施形態のＴＡ設定時のフローチャート
【図８】      第７実施形態の通報後におけるＴＡ設定時のフローチャート
【図９】      第８実施形態の通報後におけるＴＡ設定時のフローチャート
【図１０】    ＴＡから送出される信号の波形を示す図
【図１１】    通信システムの構成図
【図１２】    端末網制御装置のセンター起動時の通信フローチャート
【図１３】    発信者番号表示機能を有する電話機が接続されているときの端末網制御装置のセンター起動時の通信フローチャート
【符号の説明】
１    端末網制御装置
２    ターミナルアダプタ（ＴＡ）
３    ＩＳＤＮ回線
４    センター側装置
５    電話機
６    メータ
【図１】
0003963717.tif 000002
【図２】
0003963717.tif 000003
【図３】
0003963717.tif 000004
【図４】
0003963717.tif 000005
【図５】
0003963717.tif 000006
【図６】
0003963717.tif 000007
【図７】
0003963717.tif 000008
【図８】
0003963717.tif 000009
【図９】
0003963717.tif 000010
【図１０】
0003963717.tif 000011
【図１１】
0003963717.tif 000012
【図１２】
0003963717.tif 000013
【図１３】
0003963717.tif 000014